(57)【要約】【課題】水タンクへの給水量が低下している状況下においても、水張りや補水等の水タンクへの給水操作を完遂することのできる燃料電池装置を提供する。【解決手段】本開示の燃料電池装置は、燃料電池と、外部より供給される水が流過する外部水流路と、燃料電池の運転に必要な水を貯留する水タンクと、水タンクの水位を検知する水位センサと、燃料電池の運転を制御する制御装置と、を備える。制御装置は、水タンクへの水の供給を開始してから所定の時間の間に前記水位センサが水を検知しない場合に異常と判定する、異常判定制御を実行可能である。該異常判定制御は、第一異常判定制御と、前記第一異常判定制御よりも判定時間が長く設定された第二異常判定制御と、を含む。【選択図】図３
2020194666.tif 000002
【特許請求の範囲】
【請求項１】
燃料電池と、
外部より供給される水が流過する外部水流路と、
前記外部水流路から水が供給されて燃料電池の運転に必要な水を貯留する水タンクと、
前記水タンクの水位を検知する水位センサと、
前記燃料電池の運転を制御する制御装置と、を備え
前記制御装置は、前記水タンクへの水の供給を開始してから所定の時間の間に前記水位センサが水を検知しない場合に異常と判定する、異常判定制御を実行可能であり、
該異常判定制御は、
第一異常判定制御と、
前記第一異常判定制御よりも判定時間が長く設定された第二異常判定制御と、
を含む燃料電池装置。
【請求項２】
前記制御装置は、前記外部水流路に関して予め定められた第一条件が満たされた場合は、前記第一異常判定制御を停止する、請求項１に記載の燃料電池装置。
【請求項３】
前記外部水流路は、前記水タンクに接続される第一流路と、前記水タンク以外に接続される第二流路と、を有し、
前記第一流路の流量を測定する第一流量測定部を備え、
前記第一条件とは、前記第一流量測定部の測定値が所定の第１流量以下であることである、請求項２に記載の燃料電池装置。
【請求項４】
前記外部水流路は、前記水タンクに接続される第一流路と、前記水タンク以外に接続される第二流路と、を有し、
前記第二流路の流量を測定する第二流量測定部を備え、
前記第一条件とは、前記第二流量測定部の測定値が所定の第２流量以上であることである、請求項２に記載の燃料電池装置。
【請求項５】
前記制御装置は、前記第一異常判定の停止中に、
前記第一条件が満たされなくなった場合は、前記第一異常判定を再開する、請求項２〜４のいずれか１つに記載の燃料電池装置。
【請求項６】
装置内に、前記燃料電池の排気ガスと熱媒体の熱交換を行なう熱交換器を備え、
前記水タンクとして、前記熱媒体を貯留する蓄熱タンク、および、前記熱交換器で発生した凝縮水を貯留する改質水タンクのうち、少なくとも一方のタンクを備える、請求項１〜５のいずれか１つに記載の燃料電池装置。
【発明の詳細な説明】
【技術分野】
【０００１】
本開示は、燃料電池装置に関する。
【背景技術】
【０００２】
燃料電池装置は、多くのプロセスに水が介在しており、これらプロセスに用いられる水を、水タンクに多く貯留している。そのため、長期にわたり燃料電池装置の運転または稼動を停止する場合は、水タンク内およびその水が循環する配管内の「水抜き」が行なわれる。
【０００３】
そして、燃料電池装置の運転の再開する前には、上述の水タンク内および配管内に水を満たすための「水張り」が行なわれる（特許文献１を参照）。
【０００４】
また、コジェネレーションシステムを構成する燃料電池装置またはそれに並設の貯湯タンクは、通常、水道水等の外部水を取り入れるインレットと、外部の給湯器等へお湯を供給するアウトレットとを備えている。インレットから導入された水道水は、主に外部への給湯に使用される水が流過する、太径の主配管と、この主配管から分岐した細径の副配管とを利用して、筐体内各所に配置された各水タンクに分配される（特許文献２を参照）。
【先行技術文献】
【特許文献】
【０００５】
【特許文献１】特開２０１１−３４０７５号公報
【特許文献２】特開２０１５−２２８６４号公報
【発明の概要】
【発明が解決しようとする課題】
【０００６】
ところで、前述したように、筐体内に配置された各水タンクへの水張りおよび補水に使用される水の供給と、外部への温水の供給とは、水源（源圧）を同じとする１本の水道管を分岐・分配させて行なわれている。
【０００７】
そのため、水タンクへの水張りまたは補水と、外部への給湯要求とが同時に発生すると、水道水の源圧および供給量（流量）は、給湯側に優先的に振り分けられるため、水タンクへの水張りまたは補水側では、水の供給量が不足して、水張りまたは補水に時間がかかり過ぎたり、水張りまたは補水を完了することができない場合があった。
【０００８】
本開示の目的は、水タンクへの給水量が低下している状況下においても、水張りや補水等の水タンクへの給水操作を完遂することのできる燃料電池装置を提供することである。
【課題を解決するための手段】
【０００９】
本開示の燃料電池装置は、燃料電池と、外部より供給される水が流過する外部水流路と、前記外部水流路から水が供給されて燃料電池の運転に必要な水を貯留する水タンクと、前記水タンクの水位を検知する水位センサと、前記燃料電池の運転を制御する制御装置と、を備える。
前記制御装置は、前記水タンクへの水の供給を開始してから所定の時間の間に前記水位センサが水を検知しない場合に異常と判定する、異常判定制御を実行可能である。
該異常判定制御は、第一異常判定制御と、前記第一異常判定制御よりも判定時間が長く設定された第二異常判定制御と、を含む。
【発明の効果】
【００１０】
本開示の燃料電池装置によれば、水タンクへの給水量が低下している状況下においても、水張りや補水等の水タンクへの給水操作を完了することができる。
【図面の簡単な説明】
【００１１】
【図１】実施形態の燃料電池装置の概略構成図である。
【図２】外装ケース内の燃料電池装置の構成を示す斜視図である。
【図３】実施形態の燃料電池装置における異常判定制御のフローチャートである。
【図４】実施形態の燃料電池装置における他の異常判定制御のフローチャートである
【発明を実施するための形態】
【００１２】
以下、図面を参考にしながら、実施形態を説明する。
【００１３】
図１は、実施形態の燃料電池装置の構成の概略を示すブロック図である。なお、燃料電池装置において汎用的な装置や機器等については、詳しい説明を行なわず、図中への符号の付与のみに留めているものもある。
【００１４】
図１に示す燃料電池装置１００は、収納容器１０内に収容された燃料電池モジュール１と、燃料電池モジュール１に接続された熱交換器２と、燃料電池モジュール１から排出される高温度の排ガスの熱エネルギーを熱交換により回収し、温水として貯留する蓄熱タンク３と、排ガス中に含まれる水分が熱交換により凝縮して生成した凝縮水を、原燃料の水蒸気改質用の水（以下、改質水）として貯留する改質水タンク６とを備える。
【００１５】
なお、前述の蓄熱タンク３と改質水タンク６とは、ともに、本開示の、燃料電池の運転に必要な水を貯留する水タンク、の一例である。本実施形態では、主に、比較的貯水量の多い蓄熱タンク３に対する水道水の供給（給水）について説明する。
【００１６】
燃料電池装置１００は、原燃料ポンプおよび原燃料流路等を含む原燃料供給装置１１と、空気ブロアおよび酸素含有ガス流路等を含む酸素含有ガス供給装置１２を備える。また、水自立運転を継続するための、凝縮水流路Ｃ、前述の改質水タンク６、改質水供給ポンプおよび改質水流路Ｒを含む改質水供給装置１３を含む。
【００１７】
さらに、先に述べた熱交換器２、蓄熱タンク３、ラジエータ４、熱媒循環ポンプとこれらを環状に接続する熱媒循環流路ＨＣ１とからなる熱媒循環系（第１のヒートサイクル）を備える。
【００１８】
また、燃料電池装置１００は、外部に供給するための水道水（上水）を加温するための第２熱交換器５と、前述の蓄熱タンク３から高温の熱媒を取り出して循環させるための与熱ポンプおよび熱媒循環流路ＨＣ２等を含む、温水供給システム（第２のヒートサイクル）を備えている。
【００１９】
そして、燃料電池装置１００は、前述の水タンクである、蓄熱タンク３および改質水タンク６に、それぞれ、水道水等の外部水を供給（給水という）あるいは補給（補水という）するための給水装置を備える。
【００２０】
給水装置は、給水を開始・停止するための電磁式開閉弁等を含む給水バルブＶ２，Ｖ３，Ｖ４等と、水道水を各水タンクまで流過させる給水流路（配管）Ｋ０，Ｋ１，Ｋ２等と、これら給水流路を流過する水の流過量（供給量）を測定する水流量計（フローメータ）ＦＭ１，ＦＭ２，ＦＭ３等とからなる。給水流路（配管）Ｋ０，Ｋ１，Ｋ２は、本開示の外部水流路の一部である。
【００２１】
また、燃料電池装置１００は、図１に記載のように、仮想線（二点鎖線）で表示する、外部の給湯器２００等に温水を供給するための給湯流路Ｗを備えている。この給湯流路Ｗも、本開示の外部水流路の一部である。
【００２２】
給湯流路Ｗは、筐体外面に配設されたインレットＷｉｎから取り入れた水道水を、前述の第２のヒートサイクル（熱媒循環流路ＨＣ２）の第２熱交換器５（上水熱交換器ともいう）を経由して温め、筐体外面のアウトレットＷｏｕｔから導出する主配管（Ｗ）を備える。さらに、給湯流路Ｗは、主配管（Ｗ）から分岐して、蓄熱タンク３および改質水タンク６等の水タンクで使用する水を分配する細径の副配管（分配管Ｋ０，Ｋ１，Ｋ２）とを含む。
【００２３】
主配管（Ｗ）の通水、すなわち給湯器２００への温水の供給は、三方弁Ｖ１の開閉により制御される。
【００２４】
主配管（Ｗ）から分岐した分配管Ｋ０は、さらに、蓄熱タンク３に向けて水を流過させる分配管Ｋ１と、改質水タンク６に向けて水を流過させる分配管Ｋ２とに、分岐するよう構成されている。分配管Ｋ０への通水（給水）は、給水バルブＶ２の開閉により制御され、分配管Ｋ１への通水（給水）は、給水バルブＶ４の開閉により制御され、分配管Ｋ２への通水は、給水バルブＶ３により制御される。
【００２５】
なお、蓄熱タンク３に水を流過させる分配管Ｋ１と、改質水タンク６に水を流過させる分配管Ｋ２とは、本開示における第一流路の一例である。また、これら分配管Ｋ１，Ｋ２に、それぞれ取り付けられている水流量計ＦＭ１と水流量計ＦＭ３とは、本開示の第一流量測定部に相当する。
【００２６】
同様に、各水タンクに向けて分岐せず、外部に向かって流過（筐体内を通過）する給湯流路Ｗは、本開示における第二流路の一例であり、この給湯流路Ｗの水の通過量を測定するために取り付けられている水流量計ＦＭ２は、本開示の第二流量測定部に相当する。
【００２７】
そして、燃料電池装置１００は、図２に示すような、各フレーム３１と各外装パネル３２とからなるケース３０の中に配設されている。このケース３０の中の、燃料電池モジュール１および各補機の周りや、流路、配管等には、以下のような制御手段や、複数の計測機器やセンサ、または他の補機等が設けられている。
【００２８】
また、燃料電池装置１００は、前述の燃料電池モジュール１および各補機の動作を制御する制御装置２０と、この制御装置２０に対してユーザ等が指示を出すための、屋内に設置された操作パネル（図示省略）等を備える。
【００２９】
制御装置２０は、記憶装置および表示装置（ともに図示省略）と、燃料電池装置１００を構成する各種構成部品および各種センサと接続され、これらの各機能部をはじめとして、燃料電池装置１００の全体を制御および管理する。制御装置２０は、それに付属する記憶装置（図示省略）に記憶されているプログラムを取得して、このプログラムを実行することにより、燃料電池装置１００の各部にかかる、種々の機能を実現する。
【００３０】
また、燃料電池装置１００は、各部の温度を計測するための温度センサや、筐体（ケース３０）内に配置された各水タンクの水位を計測するための、水位センサや水検出装置等を、複数備える。
【００３１】
たとえば、図１に示すように、蓄熱タンク３内の水位（水面高さ）を測定するために、蓄熱タンク３における水位の高位置（高水位またはＨレベル）には、水位センサＷＬ１が取り付けられ、水位の低位置（低水位またはＬレベル）には、水位センサＷＬ２が配設されている。
【００３２】
同様に、改質水タンク６においても、内部の高水位（Ｈ）に相当する位置に、水位センサＷＬ３が取り付けられ、低水位（Ｌ）に相当する位置には、水位センサＷＬ４が配設されている。これら水位センサＬ１，Ｌ２，Ｌ３，Ｌ４は、いずれも、水を検出した信号（検出信号）を発信することにより、タンク内の水位（水面高さ）が、その位置まで到達したことを検出する。
【００３３】
制御装置２０から、他の機能部または装置に制御信号または各種の情報などを送信する場合、制御装置２０と他の機能部とは、有線または無線により接続されていればよい。制御装置２０が行なう本実施形態に特徴的な制御については、後記で説明する。
【００３４】
なお、実施形態において、制御装置２０は特に、水道水の給水（前述の「水張り」および「補水」操作）を制御する。また、各図では、制御装置２０と、燃料電池を構成する各装置および各センサとを結ぶ接続線の図示を省略している。
【００３５】
以上の構成の燃料電池装置１００において、たとえば長期の運転停止または稼動停止のために、水タンク内およびその水が循環する配管内の「水抜き」が既に行なわれており、運転再開のために、水タンク等に水道水を給水する「水張り」が行なわれる場合の制御は、つぎのように行なわれる。
【００３６】
なお、以下の燃料電池装置の制御は、空になった水タンク等に、改めて、満水（満タン）になるまで水道水を給水する「水張り」操作の他、運転中に低下した水位（水量）を、所定の高水位まで補うための「補水」操作の、いずれにも適用されるものである。また、水タンクの種類は限定されず、燃料電池の運転に必要な水を貯留する、種々の水タンクの水張りおよび補水に提要できる。その他、同様の制御を、試運転等、燃料電池装置の設置後の初回運転の前に、管理者等によって行なわれる水張り操作に適用することもできる。
【００３７】
図３は、燃料電池装置１００の蓄熱タンク３または改質水タンク６に対して「水張り」を行なう際の制御フローを、図３に示す。なお、各フローチャート内においては、判定制御における「満たす（肯定）」を［Ｙｅｓ］で、「満たさない（否定）」を［Ｎｏ］で表している。
【００３８】
図３のチャートは、燃料電池装置の水タンクへの水の供給（水張り）を開始してから所定の時間の間に、水タンクの高水位位置に取り付けられた水位センサが水を検知しない場合に、前述の水張り操作が異常として終了（エラー終了）する、「異常判定制御」の制御フローに関するものである。
【００３９】
すなわち、この異常判定制御は、対象とする水タンクに関する高水位の水位センサが水を検知しておらず、その水タンクに対する給水制御（水張り制御または補水制御）が開始される際に発するスタートトリガを引き金として、給水制御と並行に、または給水制御に付加（アドオン）して実行されるものである。
【００４０】
なお、図３のチャートにおいては、各給水バルブの開閉等、機械・装置に直接関与する制御「操作」は、記載を省略している。
【００４１】
また、後記でも説明するが、異常判定制御は、図示下段に記載した「第一異常判定制御」と「第二異常判定制御」の２つのブロックから構成されている。制御装置は、これら２つの制御にそれぞれ対応して、タイマ、アラーム、ウォッチ等の時間に関する定義値（変数）と、状態を示すコンピュータフラグ等とが、設定されているものとする。
【００４２】
図３のフローにおいて、異常判定制御は、先にも述べたように、水張り制御または補水制御等の給水制御における「給水開始」（トリガ）とともにスタートする〔ステップ０〕。なお、図中の各〔ステップ０〕，〔ステップ１〕は、以降、単に〔Ｓ０〕，〔Ｓ１〕等と、略称で記載する。
【００４３】
制御がスタートすると、制御装置３０は、まず、〔Ｓ１〕において、第一異常判定を行なうための「時間」を計数（カウント）するためのカウンタとして、「アラームＸ」，「アラームＹ」と設定された２つのカウンタを設定・起動する。
【００４４】
そして、最初に、状況判断として、水タンクへ給水するための「第一流路」（外部水流路の一方）の水流量が低下していないか否か、具体的には、給湯器２００への給湯が開始されたために、外部から導入される水道水の多くが、他方の外部水流路である第二流路側に回されていないか否か、を確認する。
【００４５】
すなわち、〔Ｓ２〕においては、水タンクに供給される水の供給量の判定として、水タンクに関連する、前述の第一流路に配設された第一流量測定部（水流量計ＦＭ１または水流量計ＦＭ３）で測定される水流量Ｆが、予め流路ごとに定められた設定値である「第１流量（Ｆ１）」以下になっていないか否か、を判定する。
【００４６】
ここで、〔Ｓ２〕において、第一流量測定部における水流量Ｆが、第１流量Ｆ１以下の［Ｙｅｓ］であれば、制御装置３０は、以降、図３のチャートにおいて左列の「第二異常判定制御」を構成する一連の制御〔Ｓ３〕〜〔Ｓ７〕を実行する。
【００４７】
また、〔Ｓ２〕において、第一流量測定部における水流量Ｆが、第１流量Ｆ１を越える［Ｎｏ］の場合は、制御装置３０は、以降、図３のチャートにおいて右列の「第一異常判定制御」を構成する一連の制御〔Ｓ８〕〜〔Ｓ１２〕を実行する。
【００４８】
なお、後記で詳しく説明するが、第二異常判定制御におけるアラームＹの発報設定値であるカウント上限値Ｙ１（判定時間）は、第一異常判定制御におけるアラームＸの発報設定値であるカウント上限値Ｘ１（判定時間）より、長く設定されている。
【００４９】
実施形態の制御フローは、このように、給湯実施等の外部要因により水タンクへの給水量または給水圧が低下している場合でも、判定時間がより長く設定された異常判定条件を適用することにより、給水制御における給水の中断やエラー発報、エラー停止等の異常終了の発生を極力回避して、抑制することができる。すなわち、実施形態の燃料電池装置は、水タンクへの給水量が低下している状況下においても、水張りや補水等の水タンクへの給水操作を、完了・完遂することができる。
【００５０】
各異常判定制御を個別に説明する。
第二異常判定制御は、ブロックとしての制御の最初に、アラーム（タイマ）を選択して、状況に即した適切なカウンタに切り替える。すなわち、制御装置２０は、まず、〔Ｓ３〕において、上限設定値Ｘ１の比較的短い（たとえば２０分間）アラームＸの時間カウントを一次停止するとともに、〔Ｓ４〕において、上限設定値Ｙ１の比較的長い（たとえば１２０分間）アラームＹの時間カウントを継続する。なお、例では、上限値を設けるカウントアップ制御を採用しているが、設定値（時間）からカウントダウンするアラームまたはタイマ方式を採用してもよい。
【００５１】
ついで、〔Ｓ５〕〜〔Ｓ７〕のループ制御において、以下の３つの点について確認または判定を行なう。
【００５２】
〔Ｓ５〕では、対象となる水タンクの高水位位置に設置された水センサ、この例では蓄熱タンク３の水位センサＷＬ１が、水を検知しているか否か、すなわち、水位がこの水センサの高さまで到達しているか否か、を確認する。
【００５３】
〔Ｓ５〕において、水位センサが水を検知している［Ｙｅｓ］であれば、水張りあるいは補水等の給水は完了したものと判断して、制御装置２０は、この異常判定制御と、給水制御等を終了する〔正常終了〕。
【００５４】
また、〔Ｓ５〕において、水位センサが水を検知していない［Ｎｏ］であれば、まだ、水張りあるいは補水等の給水は完了していない途中であると判断して、〔Ｓ６〕に進む。
【００５５】
〔Ｓ６〕では、制御の開始時と同様の手順で、水タンク側の第一流路を流れる給水の流量Ｆが、給湯等の理由により低下したままか、あるいは、給湯の中止等により回復していか否か、を確認する。
【００５６】
〔Ｓ６〕において、給水の流量Ｆが低下したままの［Ｙｅｓ］であれば、制御装置２０は、給水と、アラームＹのカウントを継続する。
【００５７】
また、〔Ｓ６〕において、給水の流量Ｆが回復（増加）したこと［Ｎｏ］が確認されれば、前述の〔Ｓ２〕のように、給水量（流量Ｆ）が多く、短時間での給水完了が見込める場合に適用される「第一異常判定制御」に移行する（〔Ｓ８〕へ）。
【００５８】
つぎに、〔Ｓ７〕では、現在作動しているアラームＹの時間数（積算値）と、先に述べたアラームＹの上限設定値Ｙ１とを比較して、アラームＹの時間数（積算値）が上限設定値Ｙ１を超えている［Ｙｅｓ］であれば、制御装置２０は、この一連の給水操作はタイムオーバーであると判断して、給水を中断するととともに、外部へ異常終了を伝達するエラー発報等を行なってから、この異常判定制御と、給水制御等を終了する〔エラー終了〕。
【００５９】
〔Ｓ７〕において、アラームＹの時間数（積算値）が上限設定値Ｙ１以下の［Ｎｏ］であれば、制御装置２０は、前述の〔Ｓ５〕の水位の確認に戻って、〔Ｓ５〕〜〔Ｓ７〕のループを繰り返す。以上が、給水圧が低い場合に実施される、第二異常判定制御である。
【００６０】
つぎに、図示右側の第一異常判定制御も同様、ブロックとしての制御の最初に、アラーム（タイマ）を選択して、状況に即した適切なカウンタに切り替える。すなわち、制御装置２０は、まず、〔Ｓ８〕において、上限設定値Ｙ１の比較的長い（たとえば１２０分間）アラームＹの時間カウントを継続するとともに、〔Ｓ９〕において、上限設定値Ｘ１の比較的短い（たとえば２０分間）アラームＸの時間カウントを開始、あるいは一時停止されていた場合は再開する。
【００６１】
ついで、〔Ｓ１０〕〜〔Ｓ１２〕のループ制御において、前述の第二異常判定制御に類似の、以下の３つの点について確認または判定を行なう。
【００６２】
〔Ｓ１０〕では、〔Ｓ５〕と同様、対象となる水タンクの高水位位置に設置された水センサ（ＷＬ１）が水を検知して、水位がこの水センサの高さまで到達しているか否か、を確認する。〔Ｓ５〕同様、水位センサが水を検知して［Ｙｅｓ］であれば、制御装置２０は、この異常判定制御と、給水制御等を終了する〔正常終了〕。また、水位センサが水を検知していない［Ｎｏ］であれば、水張りあるいは補水等の給水は未完了として、〔Ｓ１１〕に進む。
【００６３】
〔Ｓ１１〕では、制御の開始時と同様、第一流路を流れる給水の流量Ｆが低下しているか否か、を確認する。〔Ｓ１１〕において、給水の流量Ｆの低下が確認された［Ｙｅｓ］の場合、制御装置２０は、給湯等が開始されたと判断して、給水量（流量Ｆ）が少なく、給水完了に時間がかかることが見込まれる場合に適用される「第二異常判定制御」に移行する（〔Ｓ３〕へ）。また、給水の流量Ｆが多いままで維持されていることが確認［Ｎｏ］されれば、制御装置２０は、給水と、アラームＸのカウントを継続する。
【００６４】
つぎに、〔Ｓ１２〕では、現在作動しているアラームＸの時間数（積算値）と、先に述べたアラームＸの上限設定値Ｘ１とを比較して、アラームＸの時間数（積算値）が上限設定値Ｘ１を超えていれば［Ｙｅｓ］、制御装置２０は、この一連の給水操作はタイムオーバーであると判断して、給水を中断するととともに、外部へ異常終了を伝達するエラー発報等を行なってから、この異常判定制御と、給水制御等を終了する〔エラー終了〕。
【００６５】
他方、〔Ｓ１２〕において、アラームＸの時間数（積算値）が上限設定値Ｘ１以下［Ｎｏ］であれば、制御装置２０は、前述の〔Ｓ１０〕の水位の確認に戻って、〔Ｓ１０〕〜〔Ｓ１２〕のループを繰り返す。以上が、給水圧が通常もしくは高い場合に実施される、第一異常判定制御である。
【００６６】
以上の制御フローのように、燃料電池装置１００は、給湯実施等の外部要因のより水タンクへの給水量または給水圧が低下している場合でも、判定時間がより長く設定された第二異常判定条件を適用することにより、給水制御における給水の中断やエラー発報、エラー停止等の異常終了の発生を、抑制することができる。したがって、実施形態の燃料電池装置は、水タンクへの給水量が低下している状況下等においても、水張りや補水等の水タンクへの給水操作を、完了することができる。
【００６７】
なお、以上の実施形態において、フローチャートの〔Ｓ５〕および〔Ｓ１０〕における、水タンクの水位の確認には、例として蓄熱タンク３への水張り制御をあげたため、蓄熱タンク３に配設された高水位センサＷＬ１を使用したが、たとえば、改質水タンク６の水張りの場合は、水位の確認に、改質水タンク６の高水位センサＷＬ３を使用する。
【００６８】
また、図３の制御フローにおいては、給水側の水流量および給湯実施の確認に、給湯により流量が低下する側の、前述の第一流路（分配管Ｋ１，Ｋ２）に配設された第一流量測定部（水流量計ＦＭ１または水流量計ＦＭ３）で測定した第１の水流量Ｆを用いたが、この流量の測定と前述のような給湯実施の確認には、本開示の第二流路（給湯流路Ｗ）の途中に配設された第二流量測定部（水流量計ＦＭ２）を用いて第２の水流量Ｌを用いることもできる。ただし、第２の水流量Ｌは、給湯等により増加するものであるため、その判定基準は、予め定められた第２流量Ｌ１以上、とする。
【００６９】
このように、給湯器２００側の給水（給湯）量を基準として、第一異常判定制御と第二異常判定制御の２つの異常判定制御の一方を選択する制御フロー例を、図４に示す。
【００７０】
図４のフローチャートにおいて、図３のフローチャートと内容が異なるのは、図３における〔Ｓ２〕に相当する〔Ｓ２１〕，〔Ｓ６〕に対応する〔Ｓ２２〕，〔Ｓ１１〕に対応する〔Ｓ２３〕である。
【００７１】
先にも述べたように、これら〔Ｓ２１〕，〔Ｓ２２〕，〔Ｓ２３〕では、蓄熱タンク３あるいは改質水タンク６等に供給される水の供給量の確認・判定として、給湯に関連する、第二流路に配設された第二流量測定部（水流量計ＦＭ２）で測定される水流量Ｌが、予め定められた設定値である「第２流量（Ｌ１）」以上になっていないか否か、を判定することにより、給湯実施の有無を判定することができる。
【００７２】
以上の図４の制御フローにおいても、図３の制御フローの場合と同様、給湯実施等の外部要因のより水タンクへの給水量または給水圧が低下していることを確認することができ、その結果、状況に適した、判定時間がより長く設定された異常判定条件を適用することができる。
【００７３】
したがって、図４の制御フローにおいても、図３の制御フローと同様、給水制御における給水の中断やエラー発報、エラー停止等の異常終了の発生を回避して、給水の中断や停止を抑制することができる。
【符号の説明】
【００７４】
１  燃料電池モジュール
２  熱交換器
３  蓄熱タンク
５  第２熱交換器
６  改質水タンク
２０  制御装置
１００  燃料電池装置
Ｗ  給湯流路
Ｋ  分配管
【図１】
2020194666.tif 000003
【図２】
2020194666.tif 000004
【図３】
2020194666.tif 000005
【図４】
2020194666.tif 000006